(57)【特許請求の範囲】
【請求項１】
複数の入力信号のうちの１つを切替信号に従って切り替えて出力信号として出力するマルチプレクサと、１系統のクロック信号に基づいて予め規定された複数の状態に順次遷移すると共に現在の前記状態を示す状態信号を出力する順序回路を有し、当該状態信号および前記クロック信号に基づいて前記切替信号を生成して出力する切替信号出力回路と、絶縁入力回路と、前記出力信号をデジタル信号に変換して出力するＡ／Ｄ変換回路とを備えると共に、前記複数の入力信号および前記クロック信号は外部から入力され、前記絶縁入力回路は、当該入力されたクロック信号を電気的に絶縁して前記切替信号出力回路に出力するＡ／Ｄ変換装置であって、
前記切替信号出力回路は、前記順序回路と共に組み合わせ回路を有し、
前記順序回路は、前記絶縁入力回路から出力されるクロック信号に基づいて２つの状態に順次遷移して１つの前記状態信号を出力する１つのフリップフロップで構成され、
前記組み合わせ回路は、１つのアンド素子で構成されると共に前記フリップフロップから出力される前記状態信号をそのまま前記切替信号の１つとして出力し、かつ当該アンド素子が前記絶縁入力回路から出力される前記クロック信号と当該状態信号の論理積を算出して前記切替信号の他の１つとして出力するＡ／Ｄ変換装置。
【請求項２】
複数の入力信号のうちの１つを切替信号に従って切り替えて出力信号として出力するマルチプレクサと、１系統のクロック信号に基づいて予め規定された複数の状態に順次遷移すると共に現在の前記状態を示す状態信号を出力する順序回路を有し、当該状態信号および前記クロック信号に基づいて前記切替信号を生成して出力する切替信号出力回路と、絶縁入力回路と、前記出力信号をデジタル信号に変換して出力するＡ／Ｄ変換回路とを備えると共に、前記複数の入力信号および前記クロック信号は外部から入力され、前記絶縁入力回路は、当該入力されたクロック信号を電気的に絶縁して前記切替信号出力回路に出力するＡ／Ｄ変換装置であって、
前記切替信号出力回路は、前記順序回路と共に組み合わせ回路を有し、
前記順序回路は、前記絶縁入力回路から出力されるクロック信号に基づいて２つの状態に順次遷移して一方が他方の反転信号となる２つの前記状態信号を出力する１つのフリップフロップで構成され、
前記組み合わせ回路は、２つのアンド素子および１つのオア素子で構成されると共に前記フリップフロップから出力される前記２つの状態信号のうちの一方をそのまま前記切替信号の１つとして出力し、当該２つのアンド素子のうちの一方のアンド素子が当該一方の状態信号と前記絶縁入力回路から出力される前記クロック信号の論理積を算出して出力し、当該２つのアンド素子のうちの他方のアンド素子が当該２つの状態信号のうちの他方と当該クロック信号の論理積を算出して出力し、かつ当該オア素子が当該２つのアンド素子の出力の論理和を算出して前記切替信号の他の１つとして出力するＡ／Ｄ変換装置。
【発明の詳細な説明】
【技術分野】
【０００１】
本発明は、複数の入力信号のうちの１つをデジタル信号に変換して出力するＡ／Ｄ変換装置に関するものである。
【背景技術】
【０００２】
この種のＡ／Ｄ変換装置として、下記特許文献１に開示されているΔΣ型Ａ／Ｄ変換器が知られている。このΔΣ型Ａ／Ｄ変換器は、マルチプレクサおよび設定回路を備えて構成されている。このΔΣ型Ａ／Ｄ変換器では、設定回路は、外部から入力される信号に基づいてマルチプレクサの切替状態を制御する信号を生成して出力し、マルチプレクサが、設定回路から出力される信号に基づいて、複数のアナログ入力信号のうちの１つを出力信号として切り替えて出力する。
【０００３】
例えば、マルチプレクサに入力されるアナログ入力信号の数が４つである場合には、設定回路は、外部から入力される２つの信号の信号内容に基づいて（２つの信号の信号内容をデコードして）、１つの信号のみが有効になる４つの信号（４つのアナログ入力信号に一対一で対応する信号）を生成して出力し、マルチプレクサは、設定回路から入力する信号のうちの有効となっている信号に対応するアナログ入力信号を出力信号として切り替えて出力する。
【先行技術文献】
【特許文献】
【０００４】
【特許文献１】特開２００８−３５０３９号公報（第５−６頁、第１図）
【発明の概要】
【発明が解決しようとする課題】
【０００５】
ところが、上記のΔΣ型Ａ／Ｄ変換器には、以下の解決すべき課題が存在している。すなわち、このΔΣ型Ａ／Ｄ変換器では、マルチプレクサに入力されている複数のアナログ入力信号のうちの１つを出力信号として切り替えるために外部から設定回路に入力する信号の数は、アナログ入力信号の数が３以上のときには常に複数になり、アナログ入力信号の数の増加に伴い、段階的に増加する。例えば、アナログ入力信号の数が３以上４以下のときには、その信号の数は２つであり、アナログ入力信号の数が５以上８以下のときには、その信号の数は３つであり、アナログ入力信号の数が９以上１６以下のときには、その信号の数は４つというように段階的に増加する。
【０００６】
このため、このΔΣ型Ａ／Ｄ変換器には、アナログ入力信号の数が多い場合（３以上の場合）には、設定回路に外部から入力する信号の数が常に複数となるため、この信号を伝送する配線の本数も常に複数となることから、この配線を含む接続ケーブルのコストが上昇するという解決すべき課題が存在している。
【０００７】
本発明は、かかる課題を解決するためになされたものであり、複数の入力信号を１つの信号で切り替え得るＡ／Ｄ変換装置を提供することを主目的とする。
【課題を解決するための手段】
【０００８】
上記目的を達成すべく請求項１記載のＡ／Ｄ変換装置は、複数の入力信号のうちの１つを切替信号に従って切り替えて出力信号として出力するマルチプレクサと、１系統のクロック信号に基づいて予め規定された複数の状態に順次遷移すると共に現在の前記状態を示す状態信号を出力する順序回路を有し、当該状態信号および前記クロック信号に基づいて前記切替信号を生成して出力する切替信号出力回路と、絶縁入力回路と、前記出力信号をデジタル信号に変換して出力するＡ／Ｄ変換回路とを備えると共に、前記複数の入力信号および前記クロック信号は外部から入力され、前記絶縁入力回路は、当該入力されたクロック信号を電気的に絶縁して前記切替信号出力回路に出力するＡ／Ｄ変換装置であって、前記切替信号出力回路は、前記順序回路と共に組み合わせ回路を有し、前記順序回路は、前記絶縁入力回路から出力されるクロック信号に基づいて２つの状態に順次遷移して１つの前記状態信号を出力する１つのフリップフロップで構成され、前記組み合わせ回路は、１つのアンド素子で構成されると共に前記フリップフロップから出力される前記状態信号をそのまま前記切替信号の１つとして出力し、かつ当該アンド素子が前記絶縁入力回路から出力される前記クロック信号と当該状態信号の論理積を算出して前記切替信号の他の１つとして出力する。
【０００９】
請求項２記載のＡ／Ｄ変換装置は、複数の入力信号のうちの１つを切替信号に従って切り替えて出力信号として出力するマルチプレクサと、１系統のクロック信号に基づいて予め規定された複数の状態に順次遷移すると共に現在の前記状態を示す状態信号を出力する順序回路を有し、当該状態信号および前記クロック信号に基づいて前記切替信号を生成して出力する切替信号出力回路と、絶縁入力回路と、前記出力信号をデジタル信号に変換して出力するＡ／Ｄ変換回路とを備えると共に、前記複数の入力信号および前記クロック信号は外部から入力され、前記絶縁入力回路は、当該入力されたクロック信号を電気的に絶縁して前記切替信号出力回路に出力するＡ／Ｄ変換装置であって、前記切替信号出力回路は、前記順序回路と共に組み合わせ回路を有し、前記順序回路は、前記絶縁入力回路から出力されるクロック信号に基づいて２つの状態に順次遷移して一方が他方の反転信号となる２つの前記状態信号を出力する１つのフリップフロップで構成され、前記組み合わせ回路は、２つのアンド素子および１つのオア素子で構成されると共に前記フリップフロップから出力される前記２つの状態信号のうちの一方をそのまま前記切替信号の１つとして出力し、当該２つのアンド素子のうちの一方のアンド素子が当該一方の状態信号と前記絶縁入力回路から出力される前記クロック信号の論理積を算出して出力し、当該２つのアンド素子のうちの他方のアンド素子が当該２つの状態信号のうちの他方と当該クロック信号の論理積を算出して出力し、かつ当該オア素子が当該２つのアンド素子の出力の論理和を算出して前記切替信号の他の１つとして出力する。
【発明の効果】
【００１２】
請求項１，２記載のＡ／Ｄ変換装置によれば、入力信号の数が３つ以上の場合であっても、外部から入力される１系統のクロック信号に基づいて、これらの入力信号を順次切り替えながら出力信号としてＡ／Ｄ変換回路に出力することができる。また、クロック信号を伝送する配線を含む接続ケーブルについてのコストの上昇を回避することができる。
【００１３】
また、絶縁入力回路の回路数を１つで済ますことができるため、絶縁入力回路に関するコストの上昇を回避することができる。
【図面の簡単な説明】
【００１５】
【図１】Ａ／Ｄ変換装置１，１Ａの構成を示す構成図である。
【図２】切替信号出力回路１２の回路図である。
【図３】マルチプレクサ１３の真理値表である。
【図４】Ａ／Ｄ変換装置１の動作を説明するためのタイミングチャートである。
【図５】他の切替信号出力回路１２Ａの回路図である。
【図６】マルチプレクサ１３Ａの真理値表である。
【図７】Ａ／Ｄ変換装置１Ａの動作を説明するためのタイミングチャートである。
【発明を実施するための形態】
【００１６】
以下、Ａ／Ｄ変換装置の実施の形態について、添付図面を参照して説明する。
【００１７】
最初に、Ａ／Ｄ変換装置１の構成について、図面を参照して説明する。
【００１８】
Ａ／Ｄ変換装置１は、図１に示すように、信号切替回路２、Ａ／Ｄ変換回路３および絶縁出力回路４を備え、外部から入力される複数（本例では３つ）の入力信号（アナログ信号）Ｓｉ１，Ｓｉ２，Ｓｉ３（以下、特に区別しないときには「入力信号Ｓｉ」ともいう）をこの順番で、それぞれの振幅を示す予め規定されたビット数（本例では一例として８ビット）のパラレルのデジタル信号Ｄｖに繰り返し変換すると共に、このデジタル信号Ｄｖを電気的に絶縁して、デジタル信号Ｄｖｏとして出力する。
【００１９】
信号切替回路２は、絶縁入力回路１１、切替信号出力回路１２およびマルチプレクサ１３を備えている。絶縁入力回路１１は、外部から入力した１つ（１系統）のクロック信号（デジタル信号）ＣＫを電気的に絶縁して、他の１つ（１系統）のクロック信号（デジタル信号）ＣＫ１として出力する。絶縁入力回路１１は、本例では一例として、デジタルアイソレータを用いて構成されているが、フォトカプラやパルストランス（絶縁トランス）などを使用して構成することもできる。
【００２０】
切替信号出力回路１２は、図２に示すように、順序回路２１および組み合わせ回路２２を備え、クロック信号ＣＫ１（絶縁入力回路１１を経由して入力されたクロック信号ＣＫ）に基づいて、マルチプレクサ１３用の切替信号Ｓｃを生成して出力する。本例では、マルチプレクサ１３は、後述するように、入力する３つの入力信号Ｓｉを切り替えて、そのうちの１つを出力信号Ｓｏとして出力する構成であることから、図３に示す真理値表のように、２つの切替信号Ｓｃ１，Ｓｃ２（以下、特に区別しないときには「切替信号Ｓｃ」ともいう）を必要とする。このため、切替信号出力回路１２は、この２つの切替信号Ｓｃ１，Ｓｃ２を生成して出力する。
【００２１】
本例では、順序回路２１は、一例として、１つのフリップフロップ（一例として、同期式Ｄフリップフロップ）２１ａを備えている。この順序回路２１では、フリップフロップ２１ａが、クロック信号ＣＫ１に基づいて（同期して）、２つの状態（第１状態および第２状態）に順次遷移すると共に、現在の状態を示す状態信号Ｓｓ１を生成して出力する。この場合、状態信号Ｓｓ１は、クロック信号ＣＫ１の１周期毎にレベルが反転して、ハイレベル（Ｈ）のときに第１状態を示し、ローレベル（Ｌ）のときに第２状態を示す。
【００２２】
組み合わせ回路２２は、一例として、１つのアンド素子２２ａを備えている。この組み合わせ回路２２は、状態信号Ｓｓ１およびクロック信号ＣＫ１を入力して、状態信号Ｓｓ１をそのまま切替信号Ｓｃ１として出力する。また、組み合わせ回路２２では、アンド素子２２ａが、状態信号Ｓｓ１およびクロック信号ＣＫ１の論理積を算出して、切替信号Ｓｃ２として出力する。
【００２３】
以上の構成により、切替信号出力回路１２は、クロック信号ＣＫ１に基づいて（本例では同期して）、図４に示すように、クロック信号ＣＫ１に同期して変化する２つの切替信号Ｓｃ１，Ｓｃ２を生成してマルチプレクサ１３に出力する。
【００２４】
マルチプレクサ１３は、本例では、上記した３つの入力信号Ｓｉ１，Ｓｉ２，Ｓｉ３を外部から入力すると共に、これらの入力信号Ｓｉのうちの１つの信号を、図３に示すように、２つの切替信号Ｓｃ１，Ｓｃ２の信号内容（ハイレベル（Ｈ）またはローレベル（Ｌ））に従って切り替えて、出力信号Ｓｏとして出力する。
【００２５】
Ａ／Ｄ変換回路３は、マルチプレクサ１３から出力される出力信号Ｓｏを入力すると共に、図４に示すように、クロック信号ＣＫ１の立ち上がりおよび立ち下がりに同期するサンプリングクロックＣＫｉに同期して出力信号Ｓｏをサンプリングすることにより、出力信号Ｓｏの振幅を示す８ビットのパラレルのデジタル信号Ｄｖに変換して出力する。この場合、サンプリングクロックＣＫｉは、図示はしないが、公知の微分回路（例えば、サンプリングクロックＣＫｉを一定時間遅延させる遅延素子、サンプリングクロックＣＫｉと遅延素子によって一定時間遅延されたサンプリングクロックＣＫｉとを入力する排他的論理和（エクスクルーシブオア）素子、および排他的論理和素子の出力を反転させる反転（ノット）素子）において生成される。なお、図４では、入力信号Ｓｉの数が３つであるため、４つ目のサンプリングクロックＣＫｉについては、図示を省略している。
【００２６】
絶縁出力回路４は、８ビットのデジタル信号Ｄｖを入力すると共に電気的に絶縁して、８ビットのデジタル信号Ｄｖｏとして出力する。絶縁出力回路４は、本例では一例として、デジタルアイソレータを用いて構成されているが、フォトカプラやパルストランス（絶縁トランス）などを使用して構成することもできる。
【００２７】
次に、信号切替回路２およびＡ／Ｄ変換装置１の動作について、図面を参照して説明する。なお、Ａ／Ｄ変換装置１には、それぞれの波形（例えば、振幅や周期など）が独立して時間に伴って変化する３つの入力信号Ｓｉ１，Ｓｉ２，Ｓｉ３、および一定の周期のクロック信号ＣＫが外部から連続して入力されているものとする。
【００２８】
この状態において、Ａ／Ｄ変換装置１の信号切替回路２では、絶縁入力回路１１が、クロック信号ＣＫを入力すると共に、電気的に絶縁されたクロック信号ＣＫ１を生成して出力する。切替信号出力回路１２は、このクロック信号ＣＫ１に基づいて（同期して）、上記したように２つの切替信号Ｓｃ１，Ｓｃ２を生成してマルチプレクサ１３に出力する。
【００２９】
マルチプレクサ１３は、切替信号出力回路１２から出力されている切替信号Ｓｃ１，Ｓｃ２の信号内容に従って図３に示すように３つの入力信号Ｓｉ１，Ｓｉ２，Ｓｉ３を切り替えることにより、図４に示すように、入力信号Ｓｉ１，Ｓｉ２，Ｓｉ３をこの順序でクロック信号ＣＫ１の半周期分ずつ、全体としてクロック信号ＣＫ１の２周期毎に繰り返し出力信号Ｓｏとして出力する。
【００３０】
次いで、Ａ／Ｄ変換回路３が、図４に示すように、クロック信号ＣＫ１の立ち上がりおよび立ち下がりに同期する（つまり、マルチプレクサ１３による入力信号Ｓｉ１，Ｓｉ２，Ｓｉ３の切り替えのタイミングに同期する）サンプリングクロックＣＫｉに同期して、マルチプレクサ１３から出力される出力信号Ｓｏをサンプリングして、デジタル信号Ｄｖに変換して出力する。続いて、絶縁出力回路４が、このデジタル信号Ｄｖを電気的に絶縁して、デジタル信号ＤｖｏとしてＡ／Ｄ変換装置１の外部に出力する。
【００３１】
このように、Ａ／Ｄ変換装置１の信号切替回路２では、切替信号出力回路１２が、外部から入力される１系統のクロック信号ＣＫに基づいて（同期して）予め規定された複数の状態に順次遷移すると共に現在の状態を示す状態信号Ｓｓ１を出力する順序回路２１を有して、状態信号Ｓｓ１およびクロック信号ＣＫ（具体的には、クロック信号ＣＫ１）に基づいてマルチプレクサ１３に対する切替信号Ｓｃ１，Ｓｃ２を生成して出力する。
【００３２】
したがって、この信号切替回路２によれば、入力信号Ｓｉの数が３つの場合（３つ以上の場合の一例）であっても、外部から入力される１つのクロック信号ＣＫに基づいて（同期して）、これらの入力信号Ｓｉを順次切り替えながら出力信号Ｓｏとして出力することができる。また、このように構成したことにより、この信号切替回路２によれば、クロック信号ＣＫを伝送する配線を含む接続ケーブルについてのコストの上昇を回避することができる。
【００３３】
また、この信号切替回路２によれば、クロック信号ＣＫを絶縁入力回路１１において電気的に絶縁する構成を採用したとしても、入力信号Ｓｉの数に拘わらず、この絶縁入力回路１１の回路数を１つで済ますことができるため、絶縁入力回路１１に関するコストの上昇を回避することができる。
【００３４】
また、この信号切替回路２を備えたＡ／Ｄ変換装置１によれば、入力信号Ｓｉの数が多い場合（３以上の場合）であっても、クロック信号ＣＫを伝送する配線を含む接続ケーブルについてのコストの上昇を回避しつつ、入力信号Ｓｉをデジタル信号Ｄｖｏに変換して外部に出力することができる。
【００３５】
なお、入力信号Ｓｉの数が３つの例について上記したが、図１において破線で示すように、入力信号Ｓｉ４を追加して、信号切替回路２が４つの入力信号Ｓｉ１〜Ｓｉ４（以下、区別しないときには、「入力信号Ｓｉ」ともいう）を順次切り替えて出力信号Ｓｏとして出力し、Ａ／Ｄ変換回路３および絶縁出力回路４がこの出力信号Ｓｏをデジタル信号Ｄｖに順次変換して、デジタル信号Ｄｖｏとして外部に出力する構成を採用することもできる。
【００３６】
この構成を採用したＡ／Ｄ変換装置１Ａは、図１に示すように、信号切替回路２Ａ、Ａ／Ｄ変換回路３および絶縁出力回路４を備えている。なお、信号切替回路２Ａを構成する切替信号出力回路１２Ａおよびマルチプレクサ１３Ａを除く他の構成についてはＡ／Ｄ変換装置１と同一であるため、同一の構成については同一の符号を付して重複する説明を省略し、相違する構成について主として説明する。
【００３７】
切替信号出力回路１２Ａは、図５に示すように、順序回路２１および組み合わせ回路３２を備え、順序回路２１は切替信号出力回路１２と同一に構成されて、状態信号Ｓｓ１と、その反転信号としての状態信号Ｓｓ１’を出力する。一方、組み合わせ回路３２は、一例として、２つのアンド素子３２ａ，３２ｂと、１つのオア素子３２ｃを備えている。この組み合わせ回路３２は、状態信号Ｓｓ１，Ｓｓ１’およびクロック信号ＣＫ１を入力して、状態信号Ｓｓ１をそのまま切替信号Ｓｃ１として出力する。また、組み合わせ回路３２では、アンド素子３２ａが、状態信号Ｓｓ１およびクロック信号ＣＫ１の論理積を算出し、またアンド素子３２ｂが、状態信号Ｓｓ１’およびクロック信号ＣＫ１の論理積を算出し、オア素子３２ｃが両アンド素子３２ａ，３２ｂの出力の論理和を算出することにより、切替信号Ｓｃ２として出力する。
【００３８】
以上の構成により、切替信号出力回路１２Ａは、状態信号Ｓｓ１，Ｓｓ１’およびクロック信号ＣＫ１に基づいて、図７に示すように、クロック信号ＣＫ１に同期して変化する２つの切替信号Ｓｃ１，Ｓｃ２を生成してマルチプレクサ１３Ａに出力する。なお、図７に示すように、本例では、切替信号Ｓｃ２は、各素子での遅延時間を考慮しなければ、クロック信号ＣＫ１と同じ信号になるため、クロック信号ＣＫ１をそのまま切替信号Ｓｃ２として出力する構成を採用することもできる。
【００３９】
マルチプレクサ１３Ａは、外部から上記した４つの入力信号Ｓｉ１，Ｓｉ２，Ｓｉ３，Ｓｉ４を入力すると共に、これらの入力信号Ｓｉのうちの１つの信号を、図６に示すように、２つの切替信号Ｓｃ１，Ｓｃ２の信号内容（ハイレベル（Ｈ）またはローレベル（Ｌ））に従って切り替えて、出力信号Ｓｏとして出力する。
【００４０】
次に、信号切替回路２ＡおよびＡ／Ｄ変換装置１Ａの動作について、図面を参照して説明する。なお、Ａ／Ｄ変換装置１Ａには、それぞれの波形（例えば、振幅や周期など）が独立して時間に伴い変化する４つの入力信号Ｓｉ１，Ｓｉ２，Ｓｉ３，Ｓｉ４、および一定の周期の１つ（１系統）のクロック信号ＣＫが外部から連続して入力されているものとする。
【００４１】
この状態において、Ａ／Ｄ変換装置１Ａの信号切替回路２Ａでは、絶縁入力回路１１が、クロック信号ＣＫを入力して、クロック信号ＣＫ１を生成して出力する。切替信号出力回路１２Ａは、このクロック信号ＣＫ１に基づいて（同期して）、上記したように２つの切替信号Ｓｃ１，Ｓｃ２を生成してマルチプレクサ１３Ａに出力する。
【００４２】
マルチプレクサ１３Ａは、切替信号出力回路１２Ａから出力されている切替信号Ｓｃ１，Ｓｃ２の信号内容に従って図６に示すように４つの入力信号Ｓｉ１，Ｓｉ２，Ｓｉ３，Ｓｉ４を切り替えることにより、図７に示すように、入力信号Ｓｉ１，Ｓｉ２，Ｓｉ３，Ｓｉ４をこの順序でクロック信号ＣＫ１の半周期分ずつ、全体としてクロック信号ＣＫ１の２周期毎に繰り返し出力する。
【００４３】
次いで、Ａ／Ｄ変換回路３が、図７に示すように、サンプリングクロックＣＫｉに同期して、マルチプレクサ１３Ａから出力される出力信号Ｓｏをサンプリングして、デジタル信号Ｄｖに変換して出力する。続いて、絶縁出力回路４が、このデジタル信号Ｄｖを電気的に絶縁して、デジタル信号ＤｖｏとしてＡ／Ｄ変換装置１Ａの外部に出力する。
【００４４】
このＡ／Ｄ変換装置１Ａにおいても、信号切替回路２Ａが、外部から入力される１つのクロック信号ＣＫに基づいて（同期して）、外部から入力される４つの入力信号Ｓｉ１，Ｓｉ２，Ｓｉ３，Ｓｉ４を順次切り替えながら出力信号Ｓｏとして出力し、Ａ／Ｄ変換回路３がこの出力信号Ｓｏをデジタル信号Ｄｖに順次変換して出力し、絶縁出力回路４がこのデジタル信号Ｄｖを電気的に絶縁してデジタル信号Ｄｖｏとして外部に出力する。
【００４５】
したがって、この信号切替回路２ＡおよびＡ／Ｄ変換装置１Ａによれば、入力信号Ｓｉの数が４つの場合（３つ以上の場合の一例）であっても、外部から入力される１つのクロック信号ＣＫに基づいて（同期して）、これらの入力信号Ｓｉを順次切り替えながら出力信号Ｓｏとして、出力することができる。また、これにより、この信号切替回路２Ａによれば、このクロック信号ＣＫを伝送する配線を含む接続ケーブルについてのコストの上昇を回避することができる。
【００４６】
また、上記の信号切替回路２（２Ａ）では、外部からのクロック信号ＣＫを絶縁入力回路１１で電気的に絶縁してクロック信号ＣＫ１として回路内に入力し、また回路内で生成したデジタル信号Ｄｖを絶縁出力回路４で電気的に絶縁してデジタル信号Ｄｖｏとして外部に出力する構成を採用しているが、これらの信号について電気的に絶縁する必要のないときには、絶縁出力回路４および絶縁入力回路１１を省いて、クロック信号ＣＫを直接（そのまま）入力して使用し、かつデジタル信号Ｄｖを直接（そのまま）出力する構成を採用することもできる。
【００４７】
また、上記の信号切替回路２（２Ａ）では、入力信号Ｓｉの数を３つまたは４つに規定しているが、入力信号Ｓｉの数を５つ以上に規定する構成を採用することもできる。この場合、入力信号Ｓｉの数が５以上８以下のときには、切替信号Ｓｃの数を３つに規定し、入力信号Ｓｉの数が９以上１６以下のときには、切替信号Ｓｃの数を４つに規定するというように、切替信号Ｓｃの数は、入力信号Ｓｉの数の増加に伴い、段階的に増加させる必要があるが、この場合であっても、外部から入力されるクロック信号ＣＫを１つ（１系統）としつつ、切替信号出力回路の順序回路を構成するフリップフロップの数を増やすことにより、必要な数の切替信号Ｓｃを生成してマルチプレクサに出力することができる。
【００４８】
また、上記の切替信号出力回路１２（１２Ａ）では、順序回路２１で生成される状態信号（状態信号Ｓｓ１やその反転信号である状態信号Ｓｓ１’）とクロック信号ＣＫ１とに基づいて、組み合わせ回路２２（３２）が各切替信号Ｓｃ１，Ｓｃ２を生成して出力する構成を採用しているが、マルチプレクサにおいて必要とする切替信号Ｓｃの数と同数のフリップフロップで切替信号出力回路の順序回路を構成することで、この順序回路が出力する状態信号（各フリップフロップの出力）のみを使用して、切替信号Ｓｃを生成することもできる。
【００４９】
また、信号切替回路２（２Ａ）をＡ／Ｄ変換装置１（１Ａ）に適用した例について説明したが、信号切替回路２（２Ａ）を単独で使用することもできるし、Ａ／Ｄ変換回路３以外の回路と組み合わせることもできる。
【符号の説明】
【００５０】
１，１Ａ  Ａ／Ｄ変換装置
２，２Ａ  信号切替回路
３  Ａ／Ｄ変換回路
１１  絶縁入力回路
１２，１２Ａ  切替信号出力回路
１３，１３Ａ  マルチプレクサ
ＣＫ，ＣＫ１  クロック信号
Ｓｃ１，Ｓｃ２  切替信号
Ｓｉ１，Ｓｉ２，Ｓｉ３，Ｓｉ４  入力信号
Ｓｓ１，Ｓｓ１’  状態信号
Ｓｏ  出力信号
【図１】
0005813485.tif 000002
【図２】
0005813485.tif 000003
【図３】
0005813485.tif 000004
【図４】
0005813485.tif 000005
【図５】
0005813485.tif 000006
【図６】
0005813485.tif 000007
【図７】
0005813485.tif 000008